【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
多段式ポンプであって、
ポンプ入口流路と、
ポンプ出口流路と、
該ポンプ入口流路と流体連通している送液ポンプであって、
送液チャンバ内で可動の送液ステージダイヤフラムと、
該送液ステージダイヤフラムを動かす送液ピストンと、
該送液ピストンを往復運動させるために、該送液ピストンに結合された送液モータと
を備える、送液ポンプと、
該送液ポンプおよび該ポンプ出口流路と流体連通している分注ポンプであって、
分注チャンバ内で可動の分注ダイヤフラムであって、分注回転ダイヤフラムを備える分注ダイヤフラムと、
該分注ダイヤフラムを動かす分注ピストンと、
該分注ピストンを往復運動させるために、該分注ピストンに結合された分注モータと
を備える、分注ポンプと、
該多段式ポンプを通る流体の流れを選択的に可能にする一式の弁と、
該分注チャンバ内の圧力を検出するように配置された圧力センサと
を備える、多段式ポンプ。
【請求項２】
前記送液ステージダイヤフラムは、送液ステージ回転ダイヤフラムであり、前記分注モータはブラシレスＤＣモータであり、前記多段式ポンプは、
前記送液ピストンに結合され、前記送液モータによって可動である第１の親ねじと、
前記分注ピストンに結合され、前記分注モータによって可動である第２の親ねじであって、該送液ピストンおよび該分注ピストンは、それぞれ、前記送液ダイヤフラムおよび前記分注ダイヤフラムを直接動かす、第２の親ねじと、
前記送液チャンバと流体連通している送液ステージ出口流路と、
前記分注チャンバと流体連通している分注ステージ入口流路と、
該送液ステージ出口流路および該分注ステージ入口流路と流体連通しているフィルタであって、送液ステージポンプから前記分注ポンプへ流れる流体は、該フィルタを通過する、フィルタと
をさらに備える、請求項１に記載の多段式ポンプ。
【請求項３】
前記フィルタと流体連通しているガス抜き流路と、
前記分注チャンバと流体連通している浄化流路と
をさらに備える、請求項２に記載の多段式ポンプ。
【請求項４】
前記浄化流路は、前記分注チャンバから前記送液チャンバへ通じている、請求項３に記載の多段式ポンプ。
【請求項５】
前記送液チャンバの少なくとも一部分および前記分注チャンバの少なくとも一部分を画定する単体の材料から形成される分注ブロックをさらに備え、該分注ブロックは、前記ポンプ入口流路の第１および第２の部分、前記送液ステージ出口流路の第１および第２の部分、前記分注ステージ入口流路の第１および第２の部分、前記ガス抜き流路の第１および第２の部分、前記浄化流路の第１および第２の部分、ならびに前記ポンプ出口流路の少なくとも一部分をさらに画定する、請求項４に記載の多段式ポンプ。
【請求項６】
前記分注ブロックに結合される弁板をさらに備え、該弁板および該分注ブロックは、入口弁、隔離弁、遮断弁および浄化弁のための弁チャンバを画定し、
前記分注ブロックは、前記ポンプ入口流路の第１および第２の部分、前記送液ステージ出口流路の第１および第２の部分、前記分注ステージ入口流路の第１および第２の部分、前記ガス抜き流路の第１および第２の部分、前記浄化流路の第１および第２の部分、ならびに前記ポンプ出口流路の少なくとも一部分をさらに画定し、
該ポンプ入口流路の該第１の部分は、入口から入口弁へ通じ、該ポンプ入口流路の該第２の部分は、該入口弁から前記送液チャンバへ通じ、
該送液ステージ出口流路の該第１の部分は、該送液チャンバから該隔離弁へ通じ、該送液ステージ出口流路の該第２の部分は、前記フィルタへ通じ、
該分注ステージ入口流路の該第１の部分は、該フィルタから該遮断弁へ通じ、該分注ステージ入口流路の該第２の部分は、該遮断弁から前記分注チャンバへ通じ、
該ガス抜き流路の該第１の部分は、該フィルタからガス抜き弁へ通じ、該ガス抜き流路の該第２の部分は、該ガス抜き弁からガス抜き出口へ通じ、
該浄化流路の該第１の部分は、該分注チャンバから該浄化弁へ通じ、該浄化流路の該第２の部分は、該浄化弁から該送液チャンバへ通じている、
請求項５に記載の多段式ポンプ。
【請求項７】
前記弁板と前記分注ブロックとの間に結合された１枚のエラストマー材料をさらに備える、請求項６に記載の多段式ポンプ。
【請求項８】
電子機器ハウジングと、
該電子機器ハウジング内に配設されたマニホールドであって、該マニホールドは、前記入口弁、前記ガス抜き弁、前記隔離弁、前記遮断弁および前記浄化弁と流体連通し、１つ以上のソレノイド弁を備える、マニホールドと、
該マニホールドと連通しており、該電子機器ハウジングを貫通している少なくとも１つの供給線と
をさらに備える、請求項６に記載の多段式ポンプ。
【請求項９】
前記電子機器ハウジングは、前記分注ブロックの表面によって部分的に画定され、前記マニホールドは、該電子機器ハウジング内の、該分注ブロックの該表面から遠位の位置に配設され、該多段式ポンプは、
該電子機器ハウジング内に配置されたＰＣＢボードであって、該ＰＣＢボードは、１つ以上の発熱部品で構成され、該１つ以上の発熱部品は、該分注ブロックの該表面からは該ＰＣＢボードの反対側にある、ＰＣＢボードと、
裏板であって、該マニホールドおよび該ＰＣＢボードは、該裏板に結合され、該裏板は、該ＰＣＢボードおよび該マニホールドから熱を消散するように選択された材料から形成される、裏板と
をさらに含む、請求項８に記載の多段式ポンプ。
【請求項１０】
前記多段式ポンプは、電子機器ハウジングをさらに備え、前記分注ブロックは、該電子機器ハウジングから離れるように液滴を導く傾斜機構を備え、
該分注ブロックは、該電子機器ハウジングのトップカバーに接する該分注ブロックの端縁に位置するフランジをさらに備え、該トップカバーの上部表面は該フランジの上部表面と同一平面上にあり、該トップカバーの側部表面は、該フランジの外縁から内部に嵌め込まれている、請求項５に記載の多段式ポンプ。
【請求項１１】
１つ以上のモータカバーをさらに備え、該１つ以上のカバーのそれぞれの鉛直表面が、前記分注ブロックの対応する鉛直表面から内側にオフセットしている、請求項１０に記載の多段式ポンプ。
【請求項１２】
ポンプ入口流路と、
ポンプ出口流路と、
該ポンプ出口流路と流体連通している分注チャンバの少なくとも一部分、および該ポンプ入口流路と流体連通している送液チャンバの少なくとも一部分を画定する単体の分注ブロックと、
該送液チャンバおよび該分注チャンバと流体連通しているフィルタと、
該送液チャンバ内で可動の送液ステージダイヤフラムと、
該送液ステージダイヤフラムを動かす送液ピストンと、
該送液ピストンを往復運動させるために、該送液ピストンに結合された送液モータと、
該分注チャンバ内で可動の分注ダイヤフラムと、
該分注ダイヤフラムを動かす分注ピストンと、
該分注ピストンを往復運動させるために、該分注ピストンに結合された分注モータと、
該分注チャンバ内の圧力を読み取るように配設された圧力センサと
を備える、多段式ポンプ。
【請求項１３】
前記分注ブロックは、前記ポンプ入口流路の第１および第２の部分、前記送液ステージ出口流路の第１および第２の部分、前記分注ステージ入口流路の第１および第２の部分、ガス抜き流路の第１および第２の部分、浄化流路の第１および第２の部分、ならびに前記ポンプ出口流路の少なくとも一部分をさらに画定し、
該ポンプ入口流路の該第１の部分は、入口から入口弁へ通じ、該ポンプ入口路の該第２の部分は、該入口弁から前記送液チャンバへ通じ、
該送液ステージ出口流路の該第１の部分は、該送液チャンバから隔離弁へ通じ、該送液ステージ出口流路の該第２の部分は、前記フィルタへ通じ、
該分注ステージ入口流路の該第１の部分は、該フィルタから遮断弁へ通じ、該分注ステージ入口流路の該第２の部分は、該遮断弁から前記分注チャンバへ通じ、
該ガス抜き流路の該第１の部分は、該フィルタからガス抜き弁へ通じ、該ガス抜き流路の該第２の部分は、該ガス抜き弁からガス抜き出口へ通じ、
該浄化流路の該第１の部分は、該分注チャンバから浄化弁へ通じ、該浄化流路の該第２の部分は、該浄化弁から該送液チャンバへ通じている、
請求項１２に記載の多段式ポンプ。
【請求項１４】
前記分注ブロックに結合された弁板をさらに備え、該弁板および該分注ブロックは、前記入口弁、前記隔離弁、前記遮断弁および前記浄化弁のための弁チャンバを画定する、請求項１３に記載の多段式ポンプ。
【請求項１５】
前記弁板と前記分注ブロックとの間に結合された１枚のエラストマー材料をさらに備える、請求項１４に記載の多段式ポンプ。
【請求項１６】
電子機器ハウジングと、
該電子機器ハウジング内に配設されたマニホールドであって、該マニホールドは、前記入口弁、前記ガス抜き弁、前記隔離弁、前記遮断弁および前記浄化弁と流体連通し、１つ以上のソレノイド弁を備える、マニホールドと、
該マニホールドと連通しており、該電子機器ハウジングを貫通している少なくとも１つの供給線と
をさらに備える、請求項１４に記載の多段式ポンプ。
【請求項１７】
前記電子機器ハウジングは、前記分注ブロックの表面によって部分的に画定され、また前記マニホールドは、該電子機器ハウジング内の、該分注ブロックの該表面から遠位の位置に配設され、前記多段式ポンプは、
該電子機器ハウジング内に配置されたＰＣＢボードであって、該ＰＣＢボードは、１つ以上の発熱部品で構成され、該１つ以上の発熱部品は、該分注ブロックの該表面からは該ＰＣＢボードの反対側にある、ＰＣＢボードと、
裏板であって、該マニホールドおよび該ＰＣＢボードは、該裏板に結合され、該裏板は、該ＰＣＢボードおよび該マニホールドから熱を消散するように選択された材料から形成される、請求項１６に記載の多段式ポンプ。
【請求項１８】
前記多段式ポンプは、電子機器ハウジングをさらに備え、前記分注ブロックは、該電子機器ハウジングから離れるように液滴を導く傾斜機構を備えており、
該分注ブロックは、該電子機器ハウジングのトップカバーに接する、該分注ブロックの端縁に位置するフランジをさらに備え、該トップカバーの上部表面は該フランジの上部表面と同一平面上にあり、該トップカバーの側部表面は、該フランジの外縁から内部に嵌め込まれる、請求項１２に記載の多段式ポンプ。
【請求項１９】
前記多段式ポンプは、１つ以上のモータカバーをさらに備え、該１つ以上のカバーのそれぞれの鉛直表面は、前記分注ブロックの対応する鉛直表面から内側にオフセットしている、請求項１２に記載の多段式ポンプ。
【請求項２０】
多段式ポンプ方法であって、
単体の材料の分注ブロックを形成することであって、該分注ブロックは、送液チャンバ、分注チャンバ、ポンプ入口流路およびポンプ出口流路を少なくとも部分的に画定する、ことと、
該分注ブロックと分注ポンプピストンハウジングとの間に分注回転ダイヤフラムを取り付けることと、
該分注ブロックと送液ポンプピストンハウジングとの間に送液ステージ回転ダイヤフラムを取り付けることと、
送液ポンプ親ねじによって、送液ポンプピストンを送液ポンプモータに結合することと、
分注ポンプ親ねじによって、分注ポンプピストンを分注ポンプモータに結合することと、
該送液モータを該送液ポンプピストンハウジングに結合することと、
該分注モータを該分注モータピストンハウジングに結合することと、
フィルタが該分注チャンバおよび該送液チャンバと流体連通するように、フィルタを該分注ブロックに結合することと
を包含する、方法。
【請求項２１】
前記送液モータは、ステッピングモータであり、また前記分注モータは、ブラシレスＤＣモータである、請求項２０に記載の方法。
【請求項２２】
弁板を前記分注ブロックに結合することを含み、該弁板は、１つ以上の弁を少なくとも部分的に画定し、
該分注ブロックは、前記ポンプ入口流路の第１および第２の部分、前記送液ステージ出口流路の第１および第２の部分、前記分注ステージ入口流路の第１および第２の部分、ガス抜き流路の第１および第２の部分、浄化流路の第１および第２の部分、ならびに前記ポンプ出口流路の少なくとも一部分をさらに画定し、
該ポンプ入口流路の該第１の部分は、入口から入口弁へ通じ、該ポンプ入口流路の該第２の部分は、該入口弁から前記送液チャンバへ通じ、
該送液ステージ出口流路の該第１の部分は、該送液チャンバから隔離弁へ通じ、該送液ステージ出口流路の該第２の部分は、前記フィルタへ通じ、
該分注ステージ入口流路の該第１の部分は、該フィルタから遮断弁へ通じ、該分注ステージ入口流路の該第２の部分は、該遮断弁から前記分注チャンバへ通じ、
該ガス抜き流路の該第１の部分は、該フィルタからガス抜き弁へ通じ、該ガス抜き流路の該第２の部分は、該ガス抜き弁からガス抜き出口へ通じ、
該浄化流路の該第１の部分は、該分注チャンバから浄化弁へ通じ、該浄化流路の該第２の部分は、該浄化弁から該送液チャンバへ通じている、
請求項２０に記載の方法。
【請求項２３】
ねじ穴を有する一式の金属棒を前記分注ブロックに挿入することであって、それぞれの棒が該棒の該ねじ穴に螺入されるねじに対して直角となるように、該ねじ穴が位置合わせされる、ことと、
１つ以上の部品を該分注ブロックに結合するために、該ねじ穴にねじを螺入することと
を含む、請求項２０に記載の方法。
【請求項２４】
ポンプ入口流路と、
ポンプ出口流路と、
該ポンプ出口流路および該ポンプ入口流路と流体連通しているポンプチャンバの少なくとも一部分を画定する単体の分注ブロックと、
送液チャンバ内で可動のダイヤフラムと、
該ダイヤフラムを動かすピストンであって、該ピストンは該ダイヤフラムを直接動かす、ピストンと、
該ピストンを往復運動させるために、該ピストンに結合されたモータと、
該ポンプチャンバ内の圧力を読み取るように配設された圧力センサと
を備える、ポンプ。
【請求項２５】
前記分注ブロックに結合された弁板をさらに備え、該弁板と該分注ブロックは、入口弁および浄化弁のための弁チャンバを画定し、
該分注ブロックは、前記ポンプ入口流路の第１および第２の部分、浄化流路の第１および第２の部分、ならびに前記ポンプ出口流路の少なくとも一部分をさらに画定し、
該ポンプ入口流路の該第１の部分は、入口から入口弁へ通じ、該ポンプ入口流路の該第２の部分は、該入口弁から前記ポンプチャンバへ通じ、
該浄化流路の該第１の部分は、該ポンプチャンバから浄化弁へ通じ、また該浄化流路の該第２の部分は、浄化出口へ通じている、請求項２４に記載のポンプ。
【請求項２６】
前記弁板と前記分注ブロックとの間に結合された１枚のエラストマー材料をさらに備える、請求項２５に記載のポンプ。
【請求項２７】
前記分注ブロックの表面によって部分的に画定される電子機器ハウジングと、
該電子機器ハウジング内に、該分注ブロックの該表面から遠位の位置に配設されたマニホールドであって、該マニホールドは、前記入口弁および前記浄化弁と流体連通し、１つ以上のソレノイド弁を備える、マニホールドと、
該マニホールドと連通し、該電子機器ハウジングを貫通している少なくとも１つの供給線と、
裏板と、
該電子機器ハウジング内に配置されたＰＣＢボードとをさらに備え、
該ＰＣＢボードは、１つ以上の発熱部品で構成され、該１つ以上の発熱部品は、該分注ブロックの該表面からは該ＰＣＢボードの反対側にあり、該マニホールドおよび該ＰＣＢボードは、該裏板に結合され、該裏板は、該ＰＣＢボードおよび該マニホールドから熱を消散するように選択された材料から形成されている、請求項２５に記載のポンプ。
【請求項２８】
前記多段式ポンプは、電子機器ハウジングをさらに備え、前記分注ブロックは、該電子機器ハウジングから離れるように液滴を導く傾斜機構を備え、
該分注ブロックは、該電子機器ハウジングのトップカバーに接する該分注ブロックの端縁に配置されたフランジをさらに備え、該トップカバーの上部表面は該フランジの上部表面と同一平面上にあり、該トップカバーの側部表面は、該フランジの外縁から内部に嵌め込まれる、請求項２４に記載のポンプ。
【請求項２９】
前記電子機器ハウジングを部分的に画定する裏板と、
該裏板と前記トップカバーとの間の密閉部と
をさらに備える、請求項２８に記載のポンプ。
【請求項３０】
前記ポンプは、１つ以上のカバーをさらに備え、該１つ以上のカバーのそれぞれの鉛直表面は、前記分注ブロックの対応する鉛直表面から内側にオフセットしている、請求項２９に記載のポンプ。